【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
複数種類の通信方式の信号を変調するための変調手段と、所定の周波数の信号を発振する発振手段と、その発振手段からの信号をＮ分周するＮ分周手段と、前記複数種類の通信方式に応じて、前記発振手段から出力される信号又は前記Ｎ分周された信号及び、前記変調手段からの信号を入力して所望の送信周波数信号を出力するミキサとを備えたことを特徴とする複数通信方式対応の無線機。
【請求項２】
複数種類の通信方式のＩ，Ｑ信号を変調するための変調手段と、所定の周波数の信号を発振する第１の発振手段と、前記複数の通信方式に応じて分周数可変な可変分周手段と、その分周された信号及び前記変調手段からの信号を入力して所望の送信周波数信号を出力する送信用ミキサと、その送信周波数信号を通過させる送信用バンドパスフィルタと、その通過した送信周波数信号を増幅する送信増幅部と、受信信号を通過させる第１の受信用バンドパスフィルタと、その通過した受信信号を増幅する受信増幅部と、その増幅された受信信号及び前記第１の発振手段から出力された信号を入力して第１の中間周波数信号を出力する第１の受信用ミキサと、その第１の受信用ミキサからの信号を通過させる第２の受信用バンドパスフィルタとを備えたことを特徴とする複数通信方式対応の無線機。
【請求項３】
前記可変分周手段から出力される信号を所定数で分周し、９０度位相が異なる２つの信号を生成する変調用位相信号生成手段と、前記第１の発振手段とは異なる周波数の信号を発振する第２の発振手段と、その第２の発振手段からの信号及び前記第２の受信用バンドパスフィルタを通過した信号を入力して第２の中間周波数信号を出力する第２の受信用ミキサと、その第２の受信用ミキサからの信号を通過させる第３の受信用バンドパスフィルタと、その第３の受信用バンドパスフィルタを通過した信号からＩ，Ｑ信号を復調する復調手段と、電圧制御発振器と、その電圧制御発振器の出力から９０度位相の異なる信号を生成し、前記復調手段に出力する復調用位相信号生成手段とを備え、前記変調用位相信号生成手段で生成された２信号は前記変調手段に入力されることを特徴とする請求項２記載の複数通信方式対応の無線機。
【請求項４】
前記送信用バンドパスフィルタ及び／又は前記第１の受信用バンドパスフィルタは、前記複数種類の通信方式の各周波数帯の信号に対応可能な積層プレーナー型であることを特徴とする請求項２、又は３記載の複数通信方式対応の無線機。
【請求項５】
前記送信用バンドパスフィルタは、高周波数帯と低周波数帯とが分かれており、高周波数帯がＤＣＳ１８００及び／又はＰＣＳ１９００に対応し、低周波数帯がＧＳＭに対応していることを特徴とする請求項４記載の複数通信方式対応の無線機。
【請求項６】
前記第１の受信用バンドパスフィルタは、高周波数帯のＤＣＳ１８００とＰＣＳ１９００、および低周波数帯のＧＳＭに対応した各々の専用バンドパスフィルタを有することを特徴とする請求項４記載の複数通信方式対応の無線機。
【請求項７】
前記変調手段、前記第１の発振手段、前記可変分周手段、前記送信用ミキサ、前記受信増幅部、前記第１の受信用ミキサ、前記変調用位相信号生成手段、前記第２の発振手段、前記第２の受信用ミキサ、前記復調手段、前記電圧制御発振器、及び前記復調用位相信号生成手段は集積回路で構成され、フレーム基板上に形成されていることを特徴とする請求項３記載の複数通信方式対応の無線機。
【請求項８】
前記第２の受信用バンドパスフィルタにＳＡＷフィルタを用い、前記第３の受信用バンドパスフィルタにセラミックフィルタを用いて、各々個別に作製したことを特徴とする請求項３記載の複数通信方式対応の無線機。
【請求項９】
前記ＳＡＷフィルタの周波数は４３２ＭＨｚ、前記セラミックフィルタの周波数は１４．４ＭＨｚであることを特徴とする請求項８記載の複数通信方式対応の無線機。
【請求項１０】
前記第２の発振手段の周波数を４１７．６ＭＨｚ、前記電圧制御発振器の周波数を２８．８ＭＨｚとしたことを特徴とする請求項３記載の複数通信方式対応の無線機。
【請求項１１】
第１の周波数が第２の周波数の２倍あるいはその近傍である２つの送信周波数に対応する無線機であって、第１のローカル周波数の信号を発振する第１の局所発振器と、その第１のローカル周波数信号をＰ分周するＰ分周器と、第２のローカル周波数の信号を発振する第２の局所発振器と、その第２のローカル周波数信号をＱ分周するＱ分周器と、前記第１のローカル周波数信号と前記第２のローカル周波数信号とを入力して前記第１の周波数の送信信号を出力する第１のミキサと、前記Ｐ分周された第１のローカル周波数信号と前記Ｑ分周された第２のローカル周波数信号とを入力して前記第２の周波数の送信信号を出力する第２のミキサとを備えたことを特徴とする複数通信方式対応の無線機。
【請求項１２】
前記第１の発振手段は、発振する信号の周波数を、ＧＳＭでは１４２４から１４６４ＭＨｚ、ＤＣＳ１８００では１３６８から１４２８ＭＨｚ、ＰＣＳ１９００では１４８０から１５２８ＭＨｚとし、その信号を１ｓｔローカルとして、前記可変分周手段を介して前記送信用ミキサへ入力することを特徴とする請求項２記載の複数通信方式対応の無線機。
【請求項１３】
前記第１の局所発振器が発振する前記第１のローカル周波数信号を、ＧＳＭでは、Ｐ分周して７７３から８０８ＭＨｚの周波数として前記第２のミキサに入力し、前記ＧＳＭ以外では、前記Ｐ分周器を通過させずに１５５７から１５８７ＭＨｚの周波数を前記第１のミキサに入力することを特徴とする請求項１１記載の複数通信方式対応の無線機。
【手続補正２】
【補正対象書類名】明細書
【補正対象項目名】０００３
【補正方法】変更
【補正の内容】
【０００３】
携帯無線のシステム（たとえば、ヨーロッパなどで盛んなＧＳＭ方式、日本などで盛んなＰＤＣ方式およびＰＨＳ方式など）が複数あれば、各々のシステムを利用したい場合は、通常各システムに対応した携帯機を必要な分だけ持たねばならず、１台で複数のシステムを通信できる小型軽量の携帯電話がなかった。
【手続補正３】
【補正対象書類名】明細書
【補正対象項目名】０００８
【補正方法】変更
【補正の内容】
【０００８】
【発明が解決しようとする課題】
しかしながら、上記従来例に示したように、携帯無線のシステム（たとえば、ヨーロッパなどで盛んなＧＳＭ方式、日本などで盛んなＰＤＣ方式およびＰＨＳ方式など）のサービスが複数あり、各々のシステムを利用したければ、通常各システムに対応した携帯機を持たねばならなかった。すなわち、１台で複数のシステムを通信できる小型軽量の携帯電話がなかった。
【手続補正４】
【補正対象書類名】明細書
【補正対象項目名】００１９
【補正方法】変更
【補正の内容】
【００１９】
従って、変調器１１からの出力を周波数の高低で判定して、低ければ低周波側ミキサ１２、高ければ高周波用ミキサ１３へ変調信号が送られる。
【手続補正５】
【補正対象書類名】明細書
【補正対象項目名】００２４
【補正方法】変更
【補正の内容】
【００２４】
なお、本実施の形態では、信号がＮ分周器１５を通過して、低周波側ミキサ１２へ入力されるものと、Ｎ分周器１５を通過せずに高周波側ミキサ１３へ入力されるものがある。しかし、さらに、小型化のためには、それらは同一のミキサであっても構わない。すなわち、低周波側ミキサ１２と高周波側ミキサ１３は、同一でも構わない。
（第２の実施の形態）
図２及び図３は、本発明にかかる第２の実施の形態の複数通信方式対応の無線機としてのトリプルモード機のブロック図である。これは、前述の第１の実施の形態のデュアルモード機へさらにアメリカなどでサービスされているＰＣＳ１９００と呼ばれる通信システムを付加した場合を考慮したものである。
【手続補正６】
【補正対象書類名】明細書
【補正対象項目名】００２５
【補正方法】変更
【補正の内容】
【００２５】
図２及び図３において、送信側では、被変調信号のＩ，Ｑ信号を、複数の通信信号を変調できる変調器２１の変調入力端子へ送信信号として入力する。変調器２１を通過した信号は、可変分周手段としてのＮ分周器２５で分周された第１局所発振器２４からの信号により、送信用のミキサ２２の乗算回路部で周波数変換され、ミキサ２２から出力される。また、変調器２１への入力信号の位相角度は、９０度異なる信号２種類とする。
【手続補正７】
【補正対象書類名】明細書
【補正対象項目名】００２８
【補正方法】変更
【補正の内容】
【００２８】
送信用の変調器２１へ入力される信号は、第１局所発振器２４からの周波数を、希望する信号の周波数に応じて、Ｎ分周器２５でＮ分周した後、例えば高周波側のＮを１、低周波側のＮを２であり、その信号をさらにＭ分周器６０でＭ分周し、例えばＭ＝２、さらに位相信号生成器６１で２分周して位相角度が９０度異なる２種類の信号を生成し、変調器２１へ入力する。但し、Ｎ，Ｍ≧１の実数である。ここで、Ｍ分周器６０及び位相信号生成器６１が変調用位相信号生成手段を構成している。
【手続補正８】
【補正対象書類名】明細書
【補正対象項目名】００４１
【補正方法】変更
【補正の内容】
【００４１】
【発明の効果】
以上述べたところから明らかなように本発明は、各デバイスの広帯域性を重視し、複数種類の通信方式に対応でき、小型軽量化が可能になるという長所を有する。